(57)【要約】【課題】磁性体を着磁するための着磁磁界の影響を受けてコイルに誘導起電力が生じても、そのコイルの両端間に高電圧が生じることを確実に防止することができる回転電機の磁石着磁装置を提供する。【解決手段】着磁の際において、電機子コイル７の両端間に接続され、着磁磁界の影響を受けて該電機子コイル７にて生じる誘導起電力に基づいた該電機子コイル７の両端間電圧の上昇を抑制すべく電荷を充電するコンデンサ２５が備えられる。【選択図】      図２
2005027480.tif 000002
【特許請求の範囲】
【請求項１】
電機子コイルと、着磁されることにより磁石となる磁性体とをハウジング内に収容してなる回転電機に対し、該ハウジングの外側から前記磁性体に着磁磁界を印加して着磁を行って該磁性体を前記磁石に変化させるようにした回転電機の磁石着磁装置であって、
前記着磁の際において、前記電機子コイルの両端間に接続され、前記着磁磁界の影響を受けて該電機子コイルにて生じる誘導起電力に基づいた該電機子コイルの両端間電圧の上昇を抑制すべく電荷を充電するコンデンサを備えていることを特徴とする回転電機の磁石着磁装置。
【請求項２】
請求項１に記載の回転電機の磁石着磁装置において、
前記回転電機は、前記ハウジング内に着磁されることにより磁石となる前記磁性体を固着するとともに該ハウジング内に給電ブラシを有しており、前記磁性体の内側において前記電機子コイルと該電機子コイルに接続されて前記給電ブラシが摺接する整流子とを備えた電機子を回転可能に収容して構成されていることを特徴とする回転電機の磁石着磁装置。
【請求項３】
請求項１又は２に記載の回転電機の磁石着磁装置において、
前記コンデンサには、該コンデンサが充電した電荷を放電すべく該コンデンサに並列に抵抗が接続されていることを特徴とする回転電機の磁石着磁装置。
【請求項４】
請求項１〜３のいずれか１項に記載の回転電機の磁石着磁装置において、
前記回転電機には、外部から前記電機子コイルに電源を供給するための給電コネクタを備えるものであって、
前記給電コネクタに連結され、その連結した際に前記コンデンサが前記電機子コイルの両端間に接続した状態となるように該コンデンサと接続される接続コネクタを有していることを特徴とする回転電機の磁石着磁装置。
【請求項５】
請求項１〜４のいずれか１項に記載の回転電機の磁石着磁装置において、
前記コンデンサは、複数個が並列に接続されていることを特徴とする回転電機の磁石着磁装置。
【請求項６】
請求項２に記載の回転電機の磁石着磁装置において、
前記コンデンサは、前記給電ブラシと前記整流子との間の電圧が５［Ｖ］以下となるようにそのコンデンサ容量が設定されていることを特徴とする回転電機の磁石着磁装置。
【請求項７】
電機子コイルと、着磁されることにより磁石となる磁性体とをハウジング内に収容してなる回転電機に対し、該ハウジングの外側から前記磁性体に着磁磁界を印加して着磁を行って該磁性体を前記磁石に変化させるようにした回転電機の磁石着磁方法であって、
前記着磁の際において、前記電機子コイルの両端間にコンデンサを接続し、前記着磁磁界の影響を受けて該電機子コイルにて生じる誘導起電力に基づいた該電機子コイルの両端間電圧の上昇を抑制すべく前記コンデンサにて電荷を充電するようにしたことを特徴とする回転電機の磁石着磁方法。
【発明の詳細な説明】
【技術分野】
【０００１】
本発明は、回転電機の組み立て後において、その内部に装備された磁性体に対して外部から着磁を行って磁石に変化させるようにした回転電機の磁石着磁装置及び回転電機の磁石着磁方法に関する。
【背景技術】
【０００２】
回転電機の組み立て後において、その内部に装備された磁性体に対して外部からから着磁磁界を印可して磁石に変化させる技術が種々提案されている。この技術を用いると、既に着磁がなされた磁石を用いる必要がなくなるので、回転電機内部に鉄粉等の異物が混入することを防止でき、回転電機の品質の向上に繋がる。
【０００３】
このように組み付け後の磁性体に着磁を行って磁石に変化させる技術としては、例えば、特許文献１に開示されており、この特許文献１では、車速センサを構成するコイル組立体の磁石の着磁方法が示されている。コイル組立体は、電磁コイルと、着磁されることで磁石となる磁性体とを備えており、着磁装置によって磁性体に着磁磁界を印加して該磁性体を磁石に変化させている。
【０００４】
ところで、着磁磁界を磁性体に印加する際、電磁コイルにも同様に着磁磁界が印加されるため、電磁コイルに誘導起電力が生じ、該コイルの両端には高電圧が生じる。このとき、例えば、電磁コイルを構成する導線の被膜が損傷していると、その損傷部分にスパークが生じて断線が生じることがある。すると、コイル組立体の不良率が高くなるばかりか、この着磁工程の後に導線が断線していないか検査する必要があった。
【０００５】
そのため、着磁工程の際に、電磁コイルの両端間に抵抗を接続した状態で着磁が行われている。このようにすれば、励磁コイルの両端に発生する電圧が低減され、導線の被覆損傷部分にスパークが生じ難くなる。
【特許文献１】特開平１０−１２５５３１号公報
【発明の開示】
【発明が解決しようとする課題】
【０００６】
しかしながら、このような抵抗は、励磁コイルの両端に発生する電圧を低減することは可能であるが、確実に防止することはできない。そのため、導線の被覆損傷部分にスパークが生じる虞があった。又、このことは、導線の被覆損傷部分のみならず、電気回路中で接触状態が不安定な部分、例えば給電ブラシ及び整流子を用いる回転電機においてはその給電ブラシ及び整流子の接触部分についても同様に起こり得る問題である。
【０００７】
本発明は、上記問題点を解決するためになされたものであって、その目的は、磁性体を着磁するための着磁磁界の影響を受けてコイルに誘導起電力が生じても、そのコイルの両端間に高電圧が生じることを確実に防止することができる回転電機の磁石着磁装置及び回転電機の磁石着磁方法を提供することにある。
【課題を解決するための手段】
【０００８】
上記問題点を解決するため、請求項１に記載の発明は、電機子コイルと、着磁されることにより磁石となる磁性体とをハウジング内に収容してなる回転電機に対し、該ハウジングの外側から前記磁性体に着磁磁界を印加して着磁を行って該磁性体を前記磁石に変化させるようにした回転電機の磁石着磁装置であって、前記着磁の際において、前記電機子コイルの両端間に接続され、前記着磁磁界の影響を受けて該電機子コイルにて生じる誘導起電力に基づいた該電機子コイルの両端間電圧の上昇を抑制すべく電荷を充電するコンデンサを備えていることをその要旨とする。
【０００９】
請求項２に記載の発明は、請求項１に記載の回転電機の磁石着磁装置において、前記回転電機は、前記ハウジング内に着磁されることにより磁石となる前記磁性体を固着するとともに該ハウジング内に給電ブラシを有しており、前記磁性体の内側において前記電機子コイルと該電機子コイルに接続されて前記給電ブラシが摺接する整流子とを備えた電機子を回転可能に収容して構成されていることをその要旨とする。
【００１０】
請求項３に記載の発明は、請求項１又は２に記載の回転電機の磁石着磁装置において、前記コンデンサには、該コンデンサが充電した電荷を放電すべく該コンデンサに並列に抵抗が接続されていることをその要旨とする。
【００１１】
請求項４に記載の発明は、請求項１〜３のいずれか１項に記載の回転電機の磁石着磁装置において、前記回転電機には、外部から前記電機子コイルに電源を供給するための給電コネクタを備えるものであって、前記給電コネクタに連結され、その連結した際に前記コンデンサが前記電機子コイルの両端間に接続した状態となるように該コンデンサと接続される接続コネクタを有していることをその要旨とする。
【００１２】
請求項５に記載の発明は、請求項１〜４のいずれか１項に記載の回転電機の磁石着磁装置において、前記コンデンサは、複数個が並列に接続されていることをその要旨とする。
【００１３】
請求項６に記載の発明は、請求項２に記載の回転電機の磁石着磁装置において、前記コンデンサは、前記給電ブラシと前記整流子との間の電圧が５［Ｖ］以下となるようにそのコンデンサ容量が設定されていることをその要旨とする。
【００１４】
請求項７に記載の発明は、電機子コイルと、着磁されることにより磁石となる磁性体とをハウジング内に収容してなる回転電機に対し、該ハウジングの外側から前記磁性体に着磁磁界を印加して着磁を行って該磁性体を前記磁石に変化させるようにした回転電機の磁石着磁方法であって、前記着磁の際において、前記電機子コイルの両端間にコンデンサを接続し、前記着磁磁界の影響を受けて該電機子コイルにて生じる誘導起電力に基づいた該電機子コイルの両端間電圧の上昇を抑制すべく前記コンデンサにて電荷を充電するようにしたことをその要旨とする。
【００１５】
（作用）
請求項１，７に記載の発明によれば、着磁の際において、電機子コイルの両端間にコンデンサが接続され、着磁磁界の影響を受けて電機子コイルにて生じる誘導起電力に基づいた電機子コイルの両端間電圧の上昇を抑制すべくコンデンサにて電荷が充電される。これにより、誘導起電力による電機子コイルからの電荷がコンデンサにて瞬時に充電されるので、電機子コイルの両端間に高電圧が生じることが確実に防止される。従って、電機子コイルを構成する導線（巻線）の被覆が損傷した部分にスパークが生じたり、電気回路中で接触が不安定な部分、例えば給電ブラシ及び整流子を用いる回転電機においてはその給電ブラシ及び整流子の接触部分にスパークが生じることが確実に防止される。
【００１６】
請求項２に記載の発明によれば、回転電機は、ハウジング内に磁性体と給電ブラシとを有し、磁性体の内側において電機子コイルと該電機子コイルに接続されて給電ブラシが摺接する整流子とを備えた電機子が回転可能に収容されて構成される。このような回転電機では、給電ブラシと整流子とは着磁を行うような未使用時においては接触状態が不安定である。そのため、着磁時に給電ブラシと整流子と間でスパークが生じて、給電ブラシや整流子が損傷し、特に整流子のブラシ摺動面に凸状のスパーク痕が生じると、整流子のブラシ摺動面の真円度が低下する。すると、給電ブラシの摺接時（回転電機の回転時）において振動・騒音の発生を誘発し、回転電機の静粛性を低下させる要因となる。従って、コンデンサにて電機子コイルの両端間に高電圧が生じることを確実に防止できるので、回転電機にとって重要な要素である静粛性を向上できる。つまり、このように給電ブラシ及び整流子を備える回転電機については特に有効である。
【００１７】
請求項３に記載の発明によれば、コンデンサには、該コンデンサに並列に抵抗が接続され、該コンデンサが充電した電荷を放電する。これにより、簡単な構成でコンデンサの放電を行うことができる。
【００１８】
請求項４に記載の発明によれば、接続コネクタは、回転電機に備えられる給電コネクタと連結した際に、コンデンサが電機子コイルの両端間に接続した状態となるように該コンデンサと接続される。これにより、接続コネクタを給電コネクタと連結するだけで、容易にコンデンサを電機子コイルの両端間に接続した状態とすることができる。
【００１９】
請求項５に記載の発明によれば、コンデンサは複数個が並列に接続されるものであるため、コンデンサ容量の小さい安価なコンデンサを用いることができ、コンデンサ容量の大きい割高な１個のコンデンサを用いるよりも全体的にコストの低減を図ることが可能となる。
【００２０】
請求項６に記載の発明によれば、コンデンサは、給電ブラシと整流子との間の電圧が５［Ｖ］以下となるようにそのコンデンサ容量が設定される。つまり、給電ブラシと整流子との間の電圧が５［Ｖ］以下になるとスパークが生じないため、確実にスパークの発生を防止できる。
【発明の効果】
【００２１】
本発明によれば、磁性体を着磁するための着磁磁界の影響を受けてコイルに誘導起電力が生じても、そのコイルの両端間に高電圧が生じることを確実に防止することができる回転電機の磁石着磁装置及び回転電機の磁石着磁方法を提供することができる。
【発明を実施するための最良の形態】
【００２２】
以下、本発明を具体化した一実施形態を図面に従って説明する。
【００２３】
図１は、本実施形態の回転電機としての直流モータ１を示す。直流モータ１は、ハウジングとしての有底筒状のヨークハウジング２を有している。ヨークハウジング２の内側面には一対の磁石（マグネット）３が固着されている。この磁石３は、モータ１を組み立てる途中においては着磁がなされていない磁性体２０であって、該磁性体２０をヨークハウジング２に固着させている。そして、モータ１を組み立てた後に、図２に示す後述の着磁装置２１にてヨークハウジング２の外側から磁性体２０に着磁磁界を印加して着磁を行って磁石３に変化させている。磁石３の内側には、電機子４が回転可能に収容されている。電機子４は、回転軸５と、該回転軸５に固定されるコア６と、該コア６のティースに巻線を巻回することで構成される電機子コイル７と、前記回転軸５に固定され前記電機子コイル７に接続される整流子８とを備えている。回転軸５の基端部は、ヨークハウジング２の底部中央に設けられる軸受９にて回転可能に支持されている。
【００２４】
又、ヨークハウジング２の開口部には、エンドキャップ１０がネジ１１にて固定されている。エンドキャップ１０の中央には軸受１２が設けられ、該軸受１２にて前記回転軸５の先端部が回転可能に支持されている。回転軸５の先端部は、そのエンドキャップ１０から外部に突出し、負荷を駆動すべく該負荷と駆動連結される。エンドキャップ１０の内側面には、ブラシ装置１３がネジ１４にて固定されている。ブラシ装置１３は、前記整流子８に摺接して電源供給を行う一対の給電ブラシ１５が備えられている。尚、図１は、給電ブラシ１５及び前記磁石３がそれぞれ１個のみ現れる断面図としており、この給電ブラシ１５及び磁石３は、図２に示すように回転軸５を挟んで対向する位置に配置されている。
【００２５】
前記エンドキャップ１０には、一対の給電線１６が組み付けられている。給電線１６の一端は給電ブラシ１５に接続され、他端は給電コネクタ１７を有している（図２参照）。給電コネクタ１７は、一対の電源端子１７ａを有しており、各電源端子１７ａはそれぞれ対応する給電ブラシ１５に接続されている。そして、外部から給電コネクタ１７及び給電線１６を通じて給電ブラシ１５に電源が供給されると、該ブラシ１５から整流子８を介して電機子４に電源が供給され、電機子４が回転し、回転軸５が回転するようになっている。
【００２６】
このような構成の直流モータ１は、着磁がなされていない磁性体２０をヨークハウジング２の内周面に固着し、その磁性体２０の内側に電機子４を収容し、ブラシ装置１３を固定したエンドキャップ１０をそのヨークハウジング２に装着して組み立てられている。そして、組み立て後において、図２に示す着磁装置２１にて直流モータ１（ヨークハウジング２）の外側から磁性体２０に着磁磁界を印加して着磁を行って磁石３に変化させている。
【００２７】
着磁装置２１は、着磁コイル２２、着磁電源２３及びスパーク防止装置２４を備えている。着磁コイル２２は、直流モータ１（ヨークハウジング２）内の磁性体２０に着磁可能なように該モータ１の周囲を囲むように設けられており、着磁電源２３から電源供給を受ける。着磁コイル２２は、着磁電源２３から電源が供給されると、前記磁性体２０を磁石３に変化させるべく直流モータ１（ヨークハウジング２）の外側から磁性体２０に対して着磁磁界を印加する。
【００２８】
ここで、前記給電ブラシ１５と前記整流子８とは、着磁を行うような未使用時においては接触状態が不安定である。そのため、磁性体２０に対して着磁磁界を印加すると、電機子コイル７誘導起電力が生じて該コイル７の両端間に高電圧が生じ、この誘導起電力が生じた場合の対策を講じていないと、給電ブラシ１５と整流子８と間でスパークが生じる。すると、給電ブラシ１５や整流子８がスパークにより損傷し、特に整流子８のブラシ摺動面に凸状のスパーク痕が生じると、整流子８のブラシ摺動面の真円度が低下し、給電ブラシ１５の摺接時（直流モータ１の回転時）において振動・騒音の発生を誘発し、モータ１の静粛性を低下させる要因となる。又、電機子コイル７を構成する巻線の被覆が損傷している場合においても、その損傷部分にスパークが生じて断線が生じることがある。そのため、前記スパーク防止装置２４は、着磁する際において、給電ブラシ１５と整流子８と間や巻線の被覆の損傷部分にて生じるスパークを防止するものである。
【００２９】
スパーク防止装置２４は、３個のコンデンサ２５、３個の抵抗２６及び接続コネクタ２７を備えている。接続コネクタ２７は、前記給電コネクタ１７に連結されて該コネクタ１７の電源端子１７ａとそれぞれ接続される接続端子２７ａを有している。この接続端子２７ａ間には３個のコンデンサ２５が互いに並列に接続され、各コンデンサ２５にはそれぞれ抵抗２６が並列に接続されている。つまり、接続コネクタ２７を給電コネクタ１７に連結して電気的に接続すると、給電コネクタ１７の電源端子１７ａ間、即ち前記電機子コイル７の両端間にコンデンサ２５が接続されることになる。
【００３０】
そして、直流モータ１は、着磁コイル２２内に配置され、該着磁コイル２２に着磁電源２３から電源を供給することにより、直流モータ１（ヨークハウジング２）内の磁性体２０に着磁磁界が印加される。すると、直流モータ１内の磁性体２０が磁石３に変化する。又、この着磁の際、電機子コイル７もその着磁磁界の影響を受けるため、該電機子コイル７に誘導起電力が生じる。すると、誘導起電力による電荷の移動が生じるが、その電荷が各コンデンサ２５にて瞬時に充電されて、電機子コイル７の両端間電圧の上昇が確実に抑制される。つまり、電機子コイル７の両端間に高電圧が生じることが確実に防止される。尚、各コンデンサ２５に充電された電荷は、抵抗２６を介して速やかに消費されるようになっている。
【００３１】
因みに、図３は、直流モータ１を所定条件（寸法や材料等）で構成した場合に、コンデンサ２５の容量（コンデンサ２５が複数である本実施形態では、合計容量）に対する給電ブラシ１５及び整流子８間に発生する電圧の関係を示している。給電ブラシ１５及び整流子８間に発生する電圧が５［Ｖ］以下になると、給電ブラシ１５及び整流子８間にてスパークが発生しないことが実験にてわかっているので、この条件にて構成された直流モータ１では、３個のコンデンサ２５の合計容量が２５０００［μＦ］以上とすることが望ましい。尚、給電ブラシ１５及び整流子８間に発生する電圧が１５［Ｖ］以下であっても、給電ブラシ１５及び整流子８間にてスパークがほぼ発生しないことが実験にてわかっているので、３個のコンデンサ２５の合計容量を１００００［μＦ］以上としてもよい。これにより本実施形態のコンデンサ２５の合計容量は、給電ブラシ１５及び整流子８間にてスパークが発生しない両間の電圧が５［Ｖ］以下になるように設定されている。
【００３２】
これにより、着磁時において電機子コイル７の両端間電圧の上昇が確実に抑制され、給電ブラシ１５と整流子８と間にて生じ得るスパークが確実に防止される。又、着磁時において電機子コイル７の両端間電圧の上昇が確実に抑制されることで、電機子コイル７を構成する巻線の被覆に損傷が生じていても、その損傷部分において生じ得るスパークが確実に防止される。
【００３３】
次に、本実施形態の特徴的な作用効果を記載する。
【００３４】
（１）着磁の際において、電機子コイル７の両端間にコンデンサ２５が接続され、着磁磁界の影響を受けて電機子コイル７にて生じる誘導起電力に基づいた電機子コイル７の両端間電圧の上昇を抑制すべくコンデンサ２５にて電荷が充電される。これにより、誘導起電力による電機子コイル７からの電荷がコンデンサ２５にて瞬時に充電されるので、電機子コイル７の両端間に高電圧が生じることを確実に防止することができる。従って、電機子コイル７を構成する導線（巻線）の被覆が損傷した部分にスパークが生じたり、電気回路中で接触が不安定な部分、本実施形態では給電ブラシ１５及び整流子８の接触部分にスパークが生じることを確実に防止することができる。
【００３５】
因みに、本実施形態のような直流モータ１では、給電ブラシ１５と整流子８とは着磁を行うような未使用時においては接触状態が不安定である。そのため、着磁時に給電ブラシ１５と整流子８と間でスパークが生じて、給電ブラシ１５や整流子８が損傷し、特に整流子８のブラシ摺動面に凸状のスパーク痕が生じると、整流子８のブラシ摺動面の真円度が低下する。すると、給電ブラシ１５の摺接時（モータ１の回転時）において振動・騒音の発生を誘発し、直流モータ１の静粛性を低下させる要因となる。従って、コンデンサ２５にて電機子コイル７の両端間に高電圧が生じることを確実に防止できるので、直流モータ１にとって重要な要素である静粛性を向上できる。つまり、このように給電ブラシ１５及び整流子８を備える直流モータ１については特に有効である。
【００３６】
（２）コンデンサ２５には、該コンデンサ２５に並列に抵抗２６が接続され、該コンデンサ２５が充電した電荷を放電する。これにより、簡単な構成でコンデンサ２５の放電を行うことができる。
【００３７】
（３）接続コネクタ２７は、直流モータ１に備えられる給電コネクタ１７と連結した際に、コンデンサ２５が電機子コイル７の両端間に接続した状態となるように該コンデンサ２５と接続される。これにより、接続コネクタ２７を給電コネクタ１７と連結するだけで、容易にコンデンサ２５を電機子コイル７の両端間に接続した状態とすることができる。
【００３８】
（４）コンデンサ２５は複数個（本実施形態では、３個）が並列に接続されるものであるため、コンデンサ容量の小さい安価なコンデンサを用いることができ、コンデンサ容量の大きい割高な１個のコンデンサを用いるよりも全体的にコストの低減を図ることができる。
【００３９】
（５）コンデンサ２５は、給電ブラシ１５と整流子８との間の電圧が５［Ｖ］以下となるようにそのコンデンサ容量が設定される。つまり、給電ブラシ１５と整流子８との間の電圧が５［Ｖ］以下になるとスパークが生じないため、確実にスパークの発生を防止することができる。
【００４０】
尚、本発明の実施形態は、以下のように変更してもよい。
【００４１】
○上記実施形態では、コンデンサ２５を３個用いたが、１個でもよく、その他複数個であってもよい。又、コンデンサ２５の接続を適宜変更してもよい。又、給電ブラシ１５と整流子８との間の電圧が５［Ｖ］以下となるようにコンデンサ２５の合計容量を設定したが、給電ブラシ１５と整流子８との間の電圧はこれに限定されるものではない。又、これ以外の基準に基づいてコンデンサ２５の合計容量を設定してもよい。
【００４２】
○上記実施形態では、抵抗２６をコンデンサ２５に対応して３個用いたが、１個でもよく、その他複数個であってもよい。又、抵抗２６の接続を適宜変更してもよい。又、抵抗２６が必要なければ、省略してもよい。
【００４３】
○上記実施形態では、直流モータ１に対して接続コネクタ２７を用いてスパーク防止装置２４を接続するようにしたが、接続コネクタ２７以外の手段を用いて直流モータ１に対してスパーク防止装置２４を接続するようにしてもよい。
【００４４】
○上記実施形態では、磁石３（磁性体２０）は一対（２個）であったが、２個以上であってもよい。
【００４５】
○上記実施形態では、給電ブラシ１５は一対（２個）であったが、２個以上であってもよい。
【００４６】
○上記実施形態では、給電ブラシ１５及び整流子８を有する回転電機としての直流モータ１を用いたが、これに限定されるものではなく、例えば、給電ブラシ１５及び整流子８を有した回転電機や、電機子コイルを回転子側に備えられる回転電機を用いてもよい。
【図面の簡単な説明】
【００４７】
【図１】本実施形態の直流モータの断面図。
【図２】着磁装置の概略構成図。
【図３】コンデンサ容量に対するブラシ・整流子間電圧の関係を示す図。
【符号の説明】
【００４８】
１…回転電機としての直流モータ、２…ハウジングとしてのヨークハウジング、３…磁石、４…電機子、７…電機子コイル、８…整流子、１５…給電ブラシ、１７…給電コネクタ、２０…磁性体、２５…コンデンサ、２６…抵抗、２７…接続コネクタ。
【図１】
2005027480.tif 000003
【図２】
2005027480.tif 000004
【図３】
2005027480.tif 000005